(57)【要約】【課題】使用端末の課金処理に際して高いセキュリティを確保でき、室内の端末から安全にコンピュータシステムを利用できるようにする。【解決手段】病院側では、患者が入院する際にＩＤ情報を書込んだＩＣカード２５を発行する。入院患者は、ＩＣカード２５をチャージ機２７に挿着し、所定の金額を入金して課金情報をチャージし、その後、病室に入ると割り当てられたベッドに対応する端末装置２０の端末制御装置２３にＩＣカード２５を挿着する。端末制御装置２３は、ＩＣカード２５が挿着されると、ＩＤ情報及び課金情報を確認し、ＴＶ受信機２１及び冷蔵庫２２へ電源を供給できる状態に保持する。次に端末制御装置２３に設けられているボタン、あるいはリモコン２４の操作により、端末の利用状態を設定する。端末制御装置２３は、ＴＶ受信機２１及び冷蔵庫２２の使用に応じてＩＣカード２５の課金情報に対する減算処理を開始する。【選択図】    図１
2004265323.tif 000002
【特許請求の範囲】
【請求項１】
施設内に設置されるヘッドエンド装置を備えた双方向ＣＡＴＶシステムと、
前記施設内に設置され、会計処理を含む各種処理を実行するコンピュータシステムと、
室内の各ベッドに対応して設けられ、前記双方向ＣＡＴＶシステムにＣＡＴＶ回線を介して接続される端末と、
各施設利用者に対してＩＤ情報が書込まれたＩＣカードを発行する手段と、
前記ＩＣカードに前記端末を使用するための課金情報を書込む手段と、
前記端末に対応して設けられ、前記ＩＣカードが挿着された際に該端末を使用可能状態に保持すると共に該ＩＣカードのＩＤ情報に基づいて端末の使用者を認識して課金情報から使用料を徴収する端末制御装置と、
前記ヘッドエンド装置内に設けられ、該端末制御装置と前記コンピュータシステムとの間で前記双方向ＣＡＴＶシステムを介して行なわれるデータ通信を前記ＩＣカードに書込まれているＩＤ情報をキーとして制御する通信制御手段とを具備したことを特徴とするＣＡＴＶシステムによる課金処理システム。
【請求項２】
施設内に設置されるヘッドエンド装置を備えた双方向ＣＡＴＶシステムと、
前記施設内に設置され、会計処理を含む各種処理を実行するコンピュータシステムと、
室内の各ベッドに対応して設けられ、前記双方向ＣＡＴＶシステムにＣＡＴＶ回線を介して接続される端末と、
各施設利用者に対してＩＤ情報が書込まれたＩＣカードを発行する手段と、
前記コンピュータシステムのサーバ内に前記各施設利用者に発行されたＩＣカードのＩＤ情報に対応させて端末を使用するための課金情報を蓄積する手段と、
前記端末に対応して設けられ、前記ＩＣカードが挿着された際に該端末を使用可能状態に保持すると共に該ＩＣカードのＩＤ情報に基づき前記ＣＡＴＶ回線を介して前記コンピュータシステムとデータ通信を行ない、前記サーバに蓄積されている対応するＩＤの課金情報から端末の使用料金を徴収する端末制御装置と、
を具備したことを特徴とするＣＡＴＶシステムによる課金処理システム。
【請求項３】
前記課金情報を蓄積する手段は、コンピュータシステムの会計サーバを使用して課金情報を蓄積することを特徴とする請求項２に記載のＣＡＴＶシステムによる課金処理システム。
【発明の詳細な説明】
【０００１】
【発明の属する技術分野】
本発明は、例えば病院、ホテル、介護施設、保養施設、研修施設等の宿泊設備を備えた施設において、利用される電気機器の課金処理を双方向ＣＡＴＶシステム及びＩＣカードを利用して行なうＣＡＴＶシステムによる課金処理システムに関する。
【０００２】
【従来の技術】
従来、病院、ホテル、介護施設、保養施設、研修施設等の宿泊設備を備えた施設、例えば入院設備を備えた病院では、一般に入院患者が例えばＴＶ受信機や冷蔵庫等の端末を利用できるようになっている（例えば、特許文献１参照。）。入院患者がＴＶ受信機や冷蔵庫等を利用する場合は、予めプリペイドカードを購入して端末制御装置に挿着する。端末制御装置は、プリペイドカードが挿着されると、その残高を確認してＴＶ受信機や冷蔵庫等に電源を供給し、一定の利用時間を経過する毎にプリペイドカードの課金情報から所定の金額を順次減算して端末の使用料金を徴収する。
【０００３】
【特許文献１】
特開２００２−２６９２２７号公報
【０００４】
【発明が解決しようとする課題】
上記のようにプリペイドカードを利用することにより、病院側では入院患者が利用する端末の使用料金を徴収することができる。
【０００５】
一方、病院側では、患者に対する診察、薬、入院等に対する費用の会計処理を合理化するためにコンピュータ化が図られている。会計処理をコンピュータ化した場合、更に、各患者が病室内の端末を利用して自分の入院費用等を確認できたり、ＴＶ受信機や冷蔵庫等の各利用端末に対する課金をコンピュータシステムで処理できるようにすることが望ましい。
【０００６】
しかし、従来のように患者が利用している端末の課金処理をプリペイドカードを使用して行なう方法では、コンピュータシステムのセキュリティを確保することができず、各患者が病室内の端末を利用して自分の入院費用等を確認したり、ＴＶ受信機や冷蔵庫等の各利用端末に対する課金処理にコンピュータシステムを利用することができない。
【０００７】
本発明は上記の課題を解決するためになされたもので、施設利用者が使用した端末の課金処理に際して高いセキュリティを確保でき、各施設利用者が室内の端末を利用して自分の宿泊費用等を確認したり、更にはＴＶ受信機や冷蔵庫等の各利用端末に対する課金処理をコンピュータシステムを利用して行なうことができるＣＡＴＶシステムによる課金処理システムを提供することを目的とする。
【０００８】
【課題を解決するための手段】
本発明に係るＣＡＴＶシステムによる課金処理システムは、施設内に設置されるヘッドエンド装置を備えた双方向ＣＡＴＶシステムと、前記施設内に設置され、会計処理を含む各種処理を実行するコンピュータシステムと、室内の各ベッドに対応して設けられ、前記双方向ＣＡＴＶシステムにＣＡＴＶ回線を介して接続される端末と、各施設利用者に対してＩＤ情報が書込まれたＩＣカードを発行する手段と、前記ＩＣカードに前記端末を使用するための課金情報を書込む手段と、前記端末に対応して設けられ、前記ＩＣカードが挿着された際に該端末を使用可能状態に保持すると共に該ＩＣカードのＩＤ情報に基づいて端末の使用者を認識して課金情報から使用料を徴収する端末制御装置と、前記ヘッドエンド装置内に設けられ、該端末制御装置と前記コンピュータシステムとの間で前記双方向ＣＡＴＶシステムを介して行なわれるデータ通信を前記ＩＣカードに書込まれているＩＤ情報をキーとして制御する通信制御手段とを具備したことを特徴とする。
【０００９】
上記のようにＩＣカードを利用して利用端末に対する課金処理を行なうことにより、ＩＣカードに施設利用者固有のＩＤ情報を記憶させて高いセキュリティを保持することができる。このため端末制御装置によりＩＣカードのＩＤ情報をキーとして施設側のコンピュータシステムにアクセスすることが可能になり、施設利用者に提示可能なデータについては端末に表示して確認することができる。
【００１０】
また、本発明に係るＣＡＴＶシステムによる課金処理システムは、施設内に設置されるヘッドエンド装置を備えた双方向ＣＡＴＶシステムと、前記施設内に設置され、会計処理を含む各種処理を実行するコンピュータシステムと、室内の各ベッドに対応して設けられ、前記双方向ＣＡＴＶシステムにＣＡＴＶ回線を介して接続される端末と、各施設利用者に対してＩＤ情報が書込まれたＩＣカードを発行する手段と、前記コンピュータシステムのサーバ内に前記各施設利用者に発行されたＩＣカードのＩＤ情報に対応させて端末を使用するための課金情報を蓄積する手段と、前記端末に対応して設けられ、前記ＩＣカードが挿着された際に該端末を使用可能状態に保持すると共に該ＩＣカードのＩＤ情報に基づき前記ＣＡＴＶ回線を介して前記コンピュータシステムとデータ通信を行ない、前記サーバに蓄積されている対応するＩＤの課金情報から端末の使用料金を徴収する端末制御装置とを具備したことを特徴とする。
【００１１】
上記のようにコンピュータシステムのサーバに端末を使用するための課金情報を蓄積することにより、課金情報の不正書換えが全く不可能となり、非常に高いセキュリティを確保することができる。このため端末制御装置によりＩＣカードのＩＤ情報をキーとして施設側のコンピュータシステムに安全にアクセスでき、例えば施設側に支払う費用等を端末に表示して確認することができる。
【００１２】
【発明の実施の形態】
以下、図面を参照して本発明の実施形態を説明する。
（第１実施形態）
図１は、本発明の第１実施形態に係るＣＡＴＶシステムによる課金処理システムの構成図である。図１において、１１は宿泊設備を備えた施設、例えば病院の管理センタ等に設けられるテレビ共聴用のヘッドエンド装置で、共聴制御装置１２を備える共に、データ通信を制御するための制御ＣＰＵ１３及び管理ＰＣ（パーソナルコンピュータ）１４等を備えている。
【００１３】
上記共聴制御装置１２には、各種テレビ放送電波例えばＶＨＦ、ＵＨＦのテレビ放送電波、更には衛星放送電波等がアンテナ１０により受信されて入力される。共聴制御装置１２は、アンテナ１０により受信したテレビ放送波に対し、周波数変換等の処理を行なって伝送回線、すなわち、双方向のＣＡＴＶ回線１５へ出力する。このＣＡＴＶ回線１５には、必要に応じて双方向アンプ１６が設けられる。
【００１４】
上記ＣＡＴＶ回線１５は、分岐端子１７により分岐され、病室に設置されている端末装置２０に接続される。端末装置２０は、例えばＴＶ受信機２１、冷蔵庫２２等の端末及びこれらの端末を制御する端末制御装置２３からなり、リモコン（リモートコントローラ）２４によって操作することができる。
【００１５】
上記端末装置２０は、施設利用者が利用するベッド別、この場合には各患者が使用するベッド別に設置されるもので、それぞれ対応するベッド番号が端末制御装置２３に設定されている。また、端末制御装置２３には、ＩＣカード２５を挿着するためのカード挿入口２６が設けられている。ＩＣカード２５は、施設側から各施設利用者に対して、この場合には病院側から各入院患者に対して発行されるもので、例えば患者の氏名、ＩＤ情報、診察券番号等が書込まれると共に、利用端末に対する課金情報が書込まれるようになっている。
【００１６】
上記ＩＣカード２５に課金情報を書込む場合は、病院内の各階等に設置されているチャージ機２７にＩＣカード２５を挿着して所定の金額を入金する。これによりチャージ機２７に入金した金額がＩＣカード２５に課金情報として書込まれる。
【００１７】
上記ＩＣカード２５を端末制御装置２３のカード挿入口２６に挿着することにより、ＩＣカード２５のＩＤ情報が端末制御装置２３に読取られてリモコン２４の操作が可能になる。リモコン２４は、詳細を後述するようにテレビ受信に関する操作の他、例えば入院費用等に関する各種情報チャンネルの操作ができるようになっている。端末制御装置２３は、リモコン２４により情報チャンネルが操作された場合、ＩＣカード２５に書込まれているＩＤ情報をキーとし、ヘッドエンド装置１１に対してＣＡＴＶ回線１５を介してデータ通信を行なう。
【００１８】
ヘッドエンド装置１１に設けられている制御ＣＰＵ１３は、端末制御装置２３のデータ通信を制御する。また、ヘッドエンド装置１１に設けられている管理ＰＣ１４は、ＬＡＮ等のネットワーク３０を介して病院側の会計処理及びその他の各種情報処理を行なうコンピュータシステム３１に接続される。
【００１９】
上記管理ＰＣ１４は、制御ＣＰＵ１３が行なうデータ通信を管理すると共に、上記リモコン２４による情報チャンネルに関する操作に応じてコンピュータシステム３１から所望のデータを読取り、制御ＣＰＵ１３及びＣＡＴＶ回線１５を経由して端末制御装置２３へ送出する。
【００２０】
上記コンピュータシステム３１としては、管理装置３２、医事会計サーバ３３、データサーバ３４、端末用ＰＣ３５、印刷装置３６等の各種処理機器からなり、例えば医事会計の処理機能及び供食メニューの管理機能等を備えている。上記管理装置３２は、システム全体を管理するもので、ＩＣカード２５の発行機能を備えている。
【００２１】
上記医事会計サーバ３３には、通院患者及び入院患者の医事会計処理に関するデータが蓄えられる。この場合、入院患者については、ベッド番号とリンクさせて会計情報を医事会計サーバ３３に蓄える。また、データサーバ３４には、情報チャンネル等に関する各種のデータが蓄えられる。また、端末用ＰＣ３５は、例えば医事会計処理、あるいはその他のデータ処理等を行なうためのＰＣである
図２は、リモコン２４の構成例を示したものである。リモコン２４には、電源ボタン４１、テレビチャンネル等を指定する数字キー４２、各種機能ボタン４３、４４が設けられると共に、給食選択メニューをＴＶ受信機２１に表示させるリクエストボタン４５、選択した給食メニューを決定するための確認ボタン４６等が設けられる。
【００２２】
上記機能ボタン４３には、例えば電源を設定時間後に自動的にオフするオフタイマボタン、現在視聴中の番組番号の表示及びＩＣカード２５の課金情報を表示する画面表示ボタン４８、番組の主音声と副音声を切替える音声多重ボタン、音声を消す消音ボタン、ボリュームを調整する音量ボタン等が設けられる。
【００２３】
また、機能ボタン４４には、例えばテレビ／ジャンル／案内／情報の４種類のカテゴリを切替えるカテゴリボタン及び選択したジャンル内でアップ／ダウンさせる選局ボタン等が設けられている。課金情報を記憶しているＩＣカード２５を端末制御装置２３に挿着して「テレビ」のボタンを選択すると、テレビを見ることができ、同時にＩＣカード２５の課金情報に対する減算が開始される。
【００２４】
また、上記カテゴリボタンとして設けられている情報ボタン４７は、各種情報チャンネルのリンク集であり、この情報ボタン４７を押すと図３に示すように例えば「１．お知らせ・掲示板」、［２．会計確認］、「３．入院ガイダンス」、…、「８．今週の献立」等のトップメニューがメニュー番号と共にＴＶ受信機２１に表示される。上記トップメニューに表示されているメニュー番号を押すことによって、目的の情報チャンネルを選択することができる。例えば「２．会計確認」のメニュー番号を押すと、例えば患者が一定期間毎に病院側に支払う入院費用や、退院時に支払う費用等を確認することができる。また、「８．今週の献立」のメニュー番号を押すと、患者の病状に応じて設定されている今週の献立、すなわち給食メニューをＴＶ受信機２１に表示して確認できると共に、複数例えば各食事毎に２種類設定されている給食メニューの中から好きな方のメニューを選択することができる。
【００２５】
次に、上記実施形態の動作を図４に示すフローチャートを参照して説明する。病院に対して患者が入院手続きを行なうと（ステップＡ１）、病院側から入院患者に対してコンピュータシステム３１の管理装置３２によりＩＣカード２５を発行する（ステップＡ２）。この際、病院側では、管理装置３２により、ＩＣカード２５に例えば患者の氏名、患者固有のＩＤ情報を書込むと共に、必要に応じて診察券番号を書込み、上記ＩＤ情報と患者の使用するベッドの番号とをリンクさせてシステムに登録する。なお、ＩＣカード２５の初期状態においては、利用端末に対する課金情報は零になっている。
【００２６】
上記ＩＣカード２５を受け取った患者は、各階等に設置されているチャージ機２７にＩＣカード２５を挿着し、所定の金額を入金する（ステップＡ３）。チャージ機２７は、入金された金額に対応した課金情報をＩＣカード２５に書込み（ステップＡ４）、その後、ＩＣカード２５を排出する。上記ＩＣカード２５にチャージする金額は、チャージ機２７に設けられているボタン操作等によって設定することができる。
【００２７】
上記入院患者は、病室に入ると、割り当てられたベッドに対応する端末装置２０の端末制御装置２３のカード挿入口２６に上記所定の金額をチャージしたＩＣカード２５を挿着する（ステップＡ５）。端末制御装置２３は、ＩＣカード２５が挿着されると、その課金情報を確認し、チャージ金額があれば利用端末、例えばＴＶ受信機２１及び冷蔵庫２２へ電源を供給できる状態に保持する。
【００２８】
次いで、端末制御装置２３に設けられているボタン、あるいはリモコン２４の操作により、端末の利用状態を設定する（ステップＡ６）。
【００２９】
ＴＶ受信機２１については、リモコン２４の電源ボタン４１をオンにした後、機能ボタン４４として設けられている「テレビ」のボタンを選択すると、テレビを見ることができ、数字キー４２により任意のチャンネルを指定することができる。また、冷蔵庫２２に対しては、例えば端末制御装置２３に設けられているボタンによって電源をオン／オフ制御することができる。この場合、リモコン２４に設けられている情報ボタン４７により、利用端末を指定して電源をオン／オフするようにしても良い。
【００３０】
端末制御装置２３は、ＴＶ受信機２１及び冷蔵庫２２の使用に応じて所定の設定時間毎にＩＣカード２５の課金情報に対する減算処理を開始する（ステップＡ７）。このＩＣカード２５の課金情報は、リモコン２４の機能ボタン４３として設けられている画面表示ボタン４８を操作すると、ＴＶ受信機２１の画面に表示されるので、確認することができる。
【００３１】
また、テレビ放送の他、情報チャンネルを利用する場合は、リモコン２４に設けられている情報ボタン４７を押す。端末制御装置２３は、情報ボタン４７が押されると、ＩＣカード２５に記憶されているＩＤ情報をキーとして情報チャンネルの利用要求をＣＡＴＶ回線１５によりヘッドエンド装置１１へ送出する。
【００３２】
ヘッドエンド装置１１は、端末制御装置２３から送られてくる情報チャンネルの利用要求を制御ＣＰＵ１３で受け取り、管理ＰＣ１４へ出力する。管理ＰＣ１４は、ネットワーク３０を介して管理装置３２にアクセスし、情報チャンネルの利用要求を送出する。管理装置３２は、管理ＰＣ１４からの情報チャンネルの利用要求を受付けると、データサーバ３４から図３に示した情報チャンネルのトップメニューを読出し、ネットワーク３０を介して管理ＰＣ１４に出力する。
【００３３】
管理ＰＣ１４は、データサーバ３４から読出された情報チャンネルのトップメニューを制御ＣＰＵ１３及びＣＡＴＶ回線１５を介して要求元の端末装置２０の端末制御装置２３へ送出する。
【００３４】
端末制御装置２３は、コンピュータシステム３１からヘッドエンド装置１１を介して読出された情報チャンネルのトップメニューをＴＶ受信機２１に表示する。そして、患者がＴＶ受信機２１に表示されたトップメニューの中から所望のトップメニューを選択すると、端末制御装置２３とコンピュータシステム３１との間でヘッドエンド装置１１を介してデータ通信が行なわれ、選択したメニューの内容がデータサーバ３４から読出され、ＴＶ受信機２１に表示される。
【００３５】
上記のように患者がリモコン２４により情報チャンネルの任意メニュー番号を選択してその内容を確認することができる。例えば図３における「２．会計確認」のメニュー番号を押すと、例えば患者が一定期間毎に病院側に支払う入院費用や、退院時に支払う費用等を確認することができる。また、その他、例えば「１．お知らせ・掲示板」、「２．会計確認」等、任意の情報チャンネルを指定してその内容を確認することができる。なお、上記会計確認のための会計データについては医事会計サーバ３３から読み出され、その他のデータについてはデータサーバ３４から読み出される。
【００３６】
そして、上記ＴＶ受信機２１及び冷蔵庫２２の使用により、ＩＣカード２５に書込まれている課金情報が少なくなったり、零になった場合には、ＩＣカード２５を端末制御装置２３から取り出し、再びチャージ機２７に挿着して金額情報をチャージする（ステップＡ３）。ＩＣカード２５の課金情報が零になったり、端末制御装置２３からＩＣカード２５を取り出した場合には、全ての利用端末、この場合の例ではＴＶ受信機２１及び冷蔵庫２２の電源が端末制御装置２３により遮断されて使用できない状態となる。
【００３７】
なお、上記ＩＣカード２５に記憶している課金情報が予め設定した値あるいはそれ以下となった場合に、その状態を端末制御装置２３により検出し、ＩＣカード２５の課金情報が少なくなったことをＴＶ受信機２１に表示して警告するようにしても良い。
【００３８】
上記第１実施形態では、ＩＣカード２５を利用して利用端末に対する課金処理を行なっているので、ＩＣカード２５に患者固有のＩＤ情報を記憶させて高いセキュリティを保持することができる。このため端末装置２０の端末制御装置２３によりＩＣカード２５のＩＤ情報をキーとして病院側のコンピュータシステム３１にアクセスすることが可能になり、患者に提示可能なデータについてはＴＶ受信機２１に表示して確認することができる。
【００３９】
（第２実施形態）
次に、本発明の第２実施形態について図５及び図６を参照して説明する。
図５は第２実施形態に係る課金処理システムの構成図、図６は動作を説明するためのフローチャートである。この第２実施形態では、チャージ機２７の処理データ、すなわちＩＣカード２５のＩＤ情報及び課金情報をネットワーク３０を介してコンピュータシステム３１の医事会計サーバ３３に書込んで管理できるようにしたものである。その他の構成は第１実施形態と同じであるので、第１実施形態と同一符号を付して詳細な説明は省略する。
【００４０】
図６のフローチャートに示すように、患者が入院手続きを行なうと（ステップＢ１）、病院側から入院患者に対してコンピュータシステム３１の管理装置３２によりＩＣカード２５を発行する（ステップＢ２）。この際、管理装置３２により、ＩＣカード２５に例えば患者の氏名、患者固有のＩＤ情報を書込むと共に、必要に応じて診察券番号を書み、上記ＩＤ情報と患者の使用するベッドの番号とをリンクさせてシステムに登録する。
【００４１】
上記ＩＣカード２５を受け取った患者は、各階等に設置されているチャージ機２７にＩＣカード２５を挿着し、所定の金額を入金する（ステップＢ３）。チャージ機２７は、ＩＣカード２５が挿着されると、そのＩＤ情報を読込み、入金された金額に対応した課金情報をＩＤ情報と共にネットワーク３０を介して医事会計サーバ３３に送出する。医事会計サーバ３３は、チャージ機２７から送られてきたＩＣカード２５のＩＤ情報毎に課金情報を蓄積して管理する（ステップＢ４）。この場合、ＩＣカード２５に対する課金情報の書込みは行なわない。
【００４２】
上記入院患者は、病室に入った際、割り当てられたベッドに対応する端末装置２０の端末制御装置２３のカード挿入口２６に上記所定の金額をチャージしたＩＣカード２５を挿着する（ステップＢ５）。端末制御装置２３は、ＩＣカード２５が挿着されると、その課金情報を確認し、チャージ金額があれば利用端末、例えばＴＶ受信機２１及び冷蔵庫２２へ電源を供給できる状態に保持する。
【００４３】
次いで、上記第１実施形態で説明したように端末制御装置２３に設けられているボタン、あるいはリモコン２４の操作により端末の利用状態を設定し（ステップＢ６）、ＴＶ受信機２１及び冷蔵庫２２を使用する。
【００４４】
端末制御装置２３は、ＴＶ受信機２１及び冷蔵庫２２の使用に応じて所定の設定時間毎に医事会計サーバ３３に蓄積されている課金情報に対して減算処理を開始する（ステップＢ７）。すなわち、端末制御装置２３は、ＴＶ受信機２１及び冷蔵庫２２の使用時間を監視し、課金処理を実行するタイミングになると、すなわち所定の使用時間を経過すると、ＩＣカード２５のＩＤ情報をキーとして課金処理要求をＣＡＴＶ回線１５により、ヘッドエンド装置１１の共聴制御装置１２、制御ＣＰＵ１３を経由して管理ＰＣ１４に送出する。
【００４５】
管理ＰＣ１４は、端末制御装置２３からの課金処理要求に基づき、管理装置３２を経由して医事会計サーバ３３をアクセスする。上記端末制御装置２３は、管理ＰＣ１４との間のデータ通信により、医事会計サーバ３３に格納されている課金情報に対して減算処理を行ない、端末使用料金を徴収する（ステップＢ７）。この場合、管理ＰＣ１４は、管理装置３２を経由せずに、直接医事会計サーバ３３をアクセスするようにしても良い。
【００４６】
上記医事会計サーバ３３に格納されている課金情報を確認したい場合は、リモコン２４の機能ボタン４３として設けられている画面表示ボタン４８を操作する。端末制御装置２３は、上記画面表示ボタン４８が操作されると、ＩＣカード２５のＩＤ情報をキーとし、ヘッドエンド装置１１の制御ＣＰＵ１３及び管理ＰＣ１４を経由して医事会計サーバ３３をアクセスし、この医事会計サーバ３３に格納されている課金情報を読み出してＴＶ受信機２１に表示する。これにより患者は、医事会計サーバ３３に格納されている課金情報を確認することができる。
【００４７】
上記のようにチャージ機２７によりチャージされる課金情報をコンピュータシステム３１の医事会計サーバ３３に格納することにより、課金情報の不正書換えが全く不可能となり、第１実施形態の場合に比較して更に高いセキュリティを確保することができる。このため端末装置２０の端末制御装置２３によりＩＣカード２５のＩＤ情報をキーとして病院側のコンピュータシステム３１に安全にアクセスでき、患者に提示可能なデータを読出してＴＶ受信機２１に表示することができる。例えば図３に示した情報チャンネルの中から「２．会計確認」のメニューを選択した場合には、端末制御装置２３により管理ＰＣ１４を介して医事会計サーバ３３がＩＣカード２５のＩＤ情報をキーとしてアクセスされ、入院中に所定の期間毎に支払う費用や退院時に支払う費用等がＴＶ受信機２１に表示される。
【００４８】
なお、上記第２実施形態では、医事会計サーバ３３に課金情報を蓄積して課金処理を行なう場合について説明したが、例えばデータサーバ３４等の他のサーバに課金情報を蓄積して課金処理を行なうようにしても良い。
【００４９】
また、上記第１及び第２実施形態では、ＴＶ受信機２１及び冷蔵庫２２の課金処理を行なう場合について示したが、その他、例えば電話、コインランドリー、売店などの料金徴収に利用することができる。
【００５０】
また、上記実施形態では、病院に実施した場合について説明したが、その他、例えばホテル、介護施設、保養施設、研修施設等の宿泊設備を備えた施設においても、上記実施形態と同様にして実施し得るものである。
【００５１】
【発明の効果】
以上詳記したように本発明によれば、使用端末に対する課金処理をＩＣカードを利用して行なっているので、施設利用者が使用した端末の課金処理に際して高いセキュリティを確保でき、各施設利用者が施設内の端末を利用して自分の宿泊等の費用を確認したり、更にはＴＶ受信機や冷蔵庫等の各利用端末に対する課金処理をコンピュータシステムを利用して処理することができる。
【図面の簡単な説明】
【図１】本発明の第１実施形態に係る課金処理システムの構成図。
【図２】同実施形態において、端末装置に付属するリモコンの構成例を示す図。
【図３】同実施形態において、リモコンの情報ボタンを押した場合のトップメニューの表示例を示す図。
【図４】同実施形態における使用端末に対する課金処理動作を示すフローチャート。
【図５】本発明の第２実施形態に係る課金処理システムの構成図。
【図６】同実施形態における使用端末に対する課金処理動作を示すフローチャート。
【符号の説明】
１０…アンテナ
１１…ヘッドエンド装置
１２…共聴制御装置
１３…制御ＣＰＵ
１４…管理ＰＣ
１５…ＣＡＴＶ回線
１６…双方向アンプ
１７…分岐端子
２０…端末装置
２１…ＴＶ受信機
２２…冷蔵庫
２３…端末制御装置
２４…リモコン（リモートコントローラ）
２５…ＩＣカード
２６…カード挿入口
２７…チャージ機
３０…ネットワーク
３１…コンピュータシステム
３２…管理装置
３３…医事会計サーバ
３４…データサーバ
３５…端末用ＰＣ
３６…印刷装置
４１…電源ボタン
４２…数字キー
４３、４４…機能ボタン
４５…リクエストボタン
４６…確認ボタン
４７…情報ボタン
４８…画面表示ボタン
【図１】
2004265323.tif 000003
【図２】
2004265323.tif 000004
【図３】
2004265323.tif 000005
【図４】
2004265323.tif 000006
【図５】
2004265323.tif 000007
【図６】
2004265323.tif 000008